(57)【要約】      （修正有）【課題】ヒートサイクルを印加した場合であっても、漏液の発生のない、信頼性に優れた密閉型電池を提供する。【解決手段】板状の封口蓋の貫通孔に、リング状の絶縁封口部材５を介して、前記貫通孔の内径よりも大きな外径の頭部２２と前記貫通孔の内径よりも小さな外径の軸部２３を有する有頭リベット状の電極端子を前記封口蓋に挿入し、該電極端子をかしめることにより前記封口蓋の外径を拡大し、該絶縁封口部材を圧縮挟持することで封止した外装構造を有する電池外装ケースと、該電池外装ケースに収納された正極および負極からなる密閉型電池において、前記封口蓋の貫通孔は、前記電極端子の端部に対向する側から頭部に対向する側に向けて漸次縮径し、かつ前記絶縁封口部材の前記電極端子の端部に対向する側の第１の狭隘部を規定する内径Ｄ１と前記絶縁封口部材の前記電極端子の頭部に対向する側の第２の狭隘部を規定する内径Ｄ２とがＤ１＞Ｄ２の関係にある。【選択図】図１
2009087729.tif 000002
【特許請求の範囲】
【請求項１】
金属缶と、板状の封口蓋の貫通孔に、リング状の絶縁封口部材を介して、前記貫通孔の内径よりも大きな外径の頭部と前記貫通孔の内径よりも小さな外径の軸部を有する有頭リベット状の電極端子を前記封口蓋の一方側から挿入し、該電極端子を上下から圧縮してかしめることにより前記封口蓋の他方側にて該電極端子の端部および軸部の外径を拡大し、該絶縁封口部材を圧縮挟持することで封止した外装構造を有する電池外装ケースと、該電池外装ケースに収納された正極および負極からなる電極群を有する密閉型電池において、
前記封口蓋の貫通孔は、前記電極端子の端部に対向する側から頭部に対向する側に向けて漸次縮径し、かつ前記絶縁封口部材の前記電極端子の端部に対向する側の第１の狭隘部を規定する内径Ｄ１と前記絶縁封口部材の前記電極端子の頭部に対向する側の第２の狭隘部を規定する内径Ｄ２とがＤ１＞Ｄ２の関係にあることを特徴とする密閉型電池。
【請求項２】
前記封口蓋および有頭リベット状の電極端子は、アルミニウムまたはアルミニウム合金でつくられていることを特徴とする請求項１に記載の密閉型電池。
【請求項３】
前記内径Ｄ２は３ｍｍ以上であり、かつ比率Ｄ１／Ｄ２が１．０５以上であることを特徴とする請求項１又は２のいずれか１項に記載の密閉型電池。
【請求項４】
前記封口蓋の貫通孔の高さが０．３ｍｍ以上であることを特徴とする請求項１乃至３のいずれか１項に記載の密閉型電池。
【請求項５】
密閉型電池が、非水電解質二次電池であることを特徴とする請求項１乃至４のいずれか１項に記載の密閉型電池。
【請求項６】
前記電池ケース内に収納された負極は、リチウムイオンの吸蔵放出電位が金属リチウムの電位に対して０．４Ｖよりも貴となる負極活物質をアルミニウムまたはアルミニウム合金の箔からなる集電体に塗着してなることを特徴とする請求項１乃至５のいずれか１項に記載の密閉型電池。
【発明の詳細な説明】
【技術分野】
【０００１】
本発明は、封口性を改善した密閉型電池に関するものである。
【背景技術】
【０００２】
非水電解液を用いたリチウムイオン電池に代表される密閉型電池は、高エネルギー密度などを特徴とし、携帯電話等に代表される小型携帯機器に広く採用されている。密閉型電池は、円筒型のほかに、小型携帯機器の形状に合わせて容積効率を向上することを目的に角型形状の外装ケースを用いるものがある。
【０００３】
近年、従来用いられてきた携帯機器だけでなく、環境問題への関心の高まりから、電気自動車やハイブリット自動車、電力貯蔵用等への適用を目指して、エネルギー密度や入出力特性、サイクル特性の向上への要求が高まっている。
【０００４】
このような要求に好適な電池として、特許文献１に記載されているように、平均結晶粒子径５０μｍ以下のアルミニウムまたはアルミニウム合金の箔からなる負極集電体と、一次粒子径１μｍ以下の粒度分布をもつ負極活物質とを有する負極を備えた非水電解質二次電池が提案されている。これによると、提案の負極活物質は、リチウム吸蔵時の電位が０．４Ｖ以上のものであり、リチウムアルミニウム合金を形成することがないため、集電体にアルミニウムまたはアルミニウム合金を用いることが出来るとされている。更に、集電体の平均結晶粒径を５０μｍ以下にすることで、集電体の強度が向上するため、負極活物質として、一次粒子径１μｍ以下の粒度分布をもつ粉体を使用しても電極密度を向上することができ、エネルギー密度や入出力特性を向上することができるとも記載されている。
【０００５】
また、これらの用途では、機器の使用寿命が長くなることから、これまで小型携帯機器の２〜３年程度の使用期間に対して、１０〜１５年といった電池の封口性に関わる長期信頼性への要求がある。さらに、これらの大型機器では、電池の入出力特性などの性能向上はもとより、電池1個あたりの蓄電容量向上を行う必要があるとともに、電気自動車等の用途では、電池重量の軽減といった要求もあり、電池発電要素以外の電池外装部材などの重量軽減を行う必要がある。
【０００６】
従来の小型携帯機器向けの角型形状の電池外装ケースを用いる電池として、例えば特許文献２には、電池ケースの開口部に配置する蓋の貫通孔に、絶縁パッキングを介して、軸部の一端に頭部を有する端子（出力端子）を挿入し、該端子を上下から圧縮し、かしめることで該頭部に対して反対側の端部および軸部の外径を拡大し、絶縁パッキングを圧縮挟持することで封止した密閉型の電池が開示されている。
【０００７】
すなわち、前記特許文献１に記載の負極とリチウムマンガン複合酸化物やリチウムコバルト複合酸化物などの正極活物質との組み合わせにより、エネルギー密度や入出力特性を向上できるとともに、負極集電部材、正極集電部材ともに、アルミニウムまたはアルミニウム合金を使用できることから、前述した特許文献２などに記載の従来の電池ケースの外装構造と組み合わせることで、比較的安価で軽量な電池を形成できる。
【特許文献１】特開２００５−１２３１８３号公報
【特許文献２】特開２００３−２７２５７４号公報
【発明の開示】
【発明が解決しようとする課題】
【０００８】
しかしながら、上記構成の電池ケースであっても用途（使用環境）が異なると次のような問題を生じる。
【０００９】
前述のように、電気自動車やハイブリット自動車、電力貯蔵用等の大型機器への密閉型電池の搭載に伴い、電池の蓄電容量を拡大するために電池の大型化を行った場合、電池の強度確保のために、角型形状の電池外装ケースを構成する金属缶や、板状の封口蓋の肉厚を増大させる必要がある。たとえば、従来の小型携帯機器用の封口蓋の肉厚が０．２５ｍｍ以下であるのに対して、大型機器用の封口蓋では肉厚が０．３ｍｍ以上となる。このように部材が肉厚化することにより電池の総重量が増加する。
【００１０】
そこで、金属缶、板状の封口蓋、有頭リベット状の電極端子の全てをアルミニウムまたはアルミニウム合金とすることにより、電池外装ケース全体の軽量化を図るようにしている。しかし、これらの部材をアルミニウムまたはアルミニウム合金にすると、リベット状電極端子のかしめ部付近の軸部外径が先に拡大してしまい、リング状絶縁封口部材の圧縮率に大幅なバラツキを生じて漏液を生じるおそれがある。
【００１１】
すなわち、図４に示すように、従来の密閉型電池１００では、封口蓋４の貫通孔４２にリング状の絶縁封口部材５を嵌め込み、絶縁プレート６を内方から絶縁封口部材５の小径部の周囲に嵌め込み、貫通孔の内径Ｄ１（＝Ｄ２）よりも大きな外径の頭部２２と貫通孔の内径Ｄ１（＝Ｄ２）よりも小さな外径の軸部２３を有する有頭リベット状の電極端子２０を外方から絶縁封口部材５の開口に挿通し、さらにワッシャー７を内方から電極端子の軸部２３に挿通した状態で、かしめ加工機により電極端子２０を上下から圧縮してかしめる。このかしめ加工時において軸部２３の端部２８がつぶれて平たくなるとともに、軸部２３の外径が拡大するが、アルミニウムまたはアルミニウム合金は他のニッケルや鉄などの金属材料と比べて降伏応力が低いために、リベット状電極端子のかしめ端部２８近傍の軸部（内方部位）が先に座屈して膨出し、リベット状電極端子の頭部２２近傍の軸部（外方部位）は塑性変形しにくいため、かしめ端部近傍の第１の狭隘部１６とリベット頭部近傍の第２の狭隘部１７との間において絶縁封口部材５の圧縮率に大幅なバラツキを生じる。この圧縮率のバラツキにより、特に、通常の使用環境を再現したヒートサイクル（例えば、−２０℃〜７０℃）を印加した場合、部材の膨張収縮により、絶縁封口部材５による押圧力が低下し、封口性能の低下による漏液を生じるおそれがある。
【００１２】
本発明は上記の課題を解決するためになされたものであり、長期間にわたりヒートサイクルを印加した場合であっても、封口性を維持し、漏液の発生のない、長期信頼性に優れた密閉型電池を提供することを目的とする。
【課題を解決するための手段】
【００１３】
本発明に係る密閉型電池は、金属缶と、板状の封口蓋の貫通孔に、リング状の絶縁封口部材を介して、前記貫通孔の内径よりも大きな外径の頭部と前記貫通孔の内径よりも小さな外径の軸部を有する有頭リベット状の電極端子を前記封口蓋の一方側から挿入し、該電極端子を上下から圧縮してかしめることにより前記封口蓋の他方側にて該電極端子の端部および軸部の外径を拡大し、該絶縁封口部材を圧縮挟持することで封止した外装構造を有する電池外装ケースと、該電池外装ケースに収納された正極および負極からなる電極群を有する密閉型電池において、前記封口蓋の貫通孔は、前記電極端子の端部に対向する側から頭部に対向する側に向けて漸次縮径し、かつ前記絶縁封口部材の前記電極端子の端部に対向する側の第１の狭隘部を規定する内径Ｄ１と前記絶縁封口部材の前記電極端子の頭部に対向する側の第２の狭隘部を規定する内径Ｄ２とがＤ１＞Ｄ２の関係にあることを特徴とする。
【００１４】
本発明の密閉型電池では、封口蓋の貫通孔の内径をＤ１＞Ｄ２の関係としているので、封口時にリベット状の電極端子をかしめた場合に、拡径した電極端子の軸部と内径Ｄ１の貫通孔周壁との間に規定される絶縁封口部材のリベット端部に対向する側の第１の狭隘部の厚みと、電極端子の軸部（ほぼ初期径）と内径Ｄ２の貫通孔周壁との間に規定される絶縁封口部材のリベット頭部に対向する側の第２の狭隘部の厚みとがちょうどバランス良く同じ程度になり（図１参照）、全体として絶縁封口部材の圧縮率が均一化される。これによりヒートサイクルを受けたときに絶縁封口部材に生じるクリープ現象が低減または抑制され、長期間にわたり液漏れを生じない高信頼性の密閉型電池となる。
【発明の効果】
【００１５】
本発明によれば、長期間にわたりヒートサイクルを受けた場合であっても、所望の封口性を維持し、漏液の発生のない、長期信頼性に優れた密閉型電池が提供される。本発明の密閉型電池は、長期間にわたり液漏れを生じないで安全に使用でき、かつ比較的安価で軽量であることから、特にハイブリッド車や電気自動車に搭載する車載用二次電池、あるいは電力平準化に使用される電力貯蔵用二次電池として好適なものとなる。
【発明を実施するための最良の形態】
【００１６】
本発明者らは、密閉型電池の封口蓋かしめ部のシール性に関して鋭意研究を積み重ねた結果、封口蓋の貫通孔の形状を予め、リベット状電極端子のかしめ部近傍部位における貫通孔の内径Ｄ１とリベット状電極端子の頭部近傍部位における貫通孔の内径Ｄ２との関係をＤ１＞Ｄ２とすることで、封口蓋及びリベット状電極端子の双方ともにアルミニウムまたはアルミニウム合金とした場合でも、良好な封口性を長期間にわたり維持することができ、さらに電池外装ケースを軽量化できるという知見を得た。本発明はかかる知見に基づいてなされたものである。
【００１７】
本発明において、内径Ｄ２を３ｍｍ以上とし、かつ比率Ｄ１／Ｄ２を１．０５以上とすることが好ましい。封口蓋かしめシール部をアルミニウムまたはアルミニウム合金とする場合、折損防止の強度補償を図るために、リベット状電極端子の軸部の直径を少なくとも３ｍｍより太くすることが要求される。このため封口蓋において貫通孔の内径Ｄ２を３ｍｍ以上にする必要がある。また、比率Ｄ１／Ｄ２が１．０５未満の封口蓋かしめシール部では漏液発生率が高くなるのに対して（表１の比較例１，２）、比率Ｄ１／Ｄ２が１．０５以上の封口蓋かしめシール部では漏液をまったく生じなくなる（表１の実施例１〜４）。後者では絶縁封口部材の圧縮率のバラツキが小さくなるからである。
【００１８】
本発明において、封口蓋の貫通孔の高さ（軸方向長さ）Ｈを０．３ｍｍ以上とすることができる。大型機器用の電源では強度補償のために封口蓋を厚くする必要があり、アルミニウムまたはアルミニウム合金の封口蓋では肉厚を０．３ｍｍ以上にすることが推奨されている。このため貫通孔の高さＨは０．３ｍｍ以上とすることが望ましい。ところで、貫通孔の高さＨが大きくなると、絶縁封口部材の圧縮率にさらにバラツキを生じやすくなるが、本発明の封口蓋では貫通孔の内径Ｄ１，Ｄ２の関係をＤ１＞Ｄ２とし、リベット端部に対向する側の第１の狭隘部とリベット頭部に対向する側の第２の狭隘部との間において絶縁封口部材の圧縮率を均一化しているので、長期間にわたりヒートサイクルを受けた場合であっても漏液を生じなくなる。
【００１９】
本発明において、電池ケース内に収納された負極は、リチウムイオンの吸蔵放出電位が金属リチウムの電位に対して０．４Ｖよりも貴となる負極活物質をアルミニウムまたはアルミニウム合金の箔からなる集電体に塗着してなることが望ましい。このようにすると負極活物質とアルミニウムまたはアルミニウム合金との化学反応を抑制することができるからである。
【００２０】
以下、本発明の実施の形態に係る密閉型電池として角型リチウムイオン電池を図１と図２を参照して説明する。
【００２１】
図２の（ａ）と（ｂ）に示すように、本実施形態の密閉型電池１Ａは、上面が略長方形に開口する金属缶１０と、この金属缶１０内に充填された電極群１１および電解液と、金属缶１０の開口を塞ぐ封口蓋４Ａと、正極タブ９ａおよび負極タブ９ｂと、電解液注入口１２を塞ぐ封口栓１３と、リベット状の電極端子２０とを備えている。電解液注入口１２は、電池外装ケースである金属缶１０内に電解液を注入した後、封口栓１３で封止し、封口蓋４Ａにレーザ溶接してある。
【００２２】
金属缶１０は、アルミニウム板またはアルミニウム合金板を深絞り加工して作製され、正極側の出力端子を兼ねている。
【００２３】
電極群１１は、正極活物質をアルミニウムまたはアルミニウム合金からなる集電体に塗着したシート状の正極と、負極活物質アルミもしくはアルミ合金からなる集電体に塗着したシート状の負極とを、絶縁性のセパレータを介して渦巻状に巻回した後に、金属缶１０の断面形状に合わせて、断面を長円形に押し潰して形成されている。電極群１１の正極シートおよび負極シートの各々からは正負両極の導電タブ９ａ、９ｂが導出され、それぞれ正極端子１９及びリベット状電極端子２０と導電接続される。なお、本実施例では符号１９の部材を正極端子、符号２０の部材を負極端子としたが、配線の接続を逆にして、符号１９の部材を負極端子、符号２０の部材を正極端子とした場合でも同様の効果が得られる。
【００２４】
ここで、正極活物質としては、リチウムイオンを吸蔵・放出できる酸化物や硫化物、ポリマーなどを使用することができる。好ましい正極活物質としては、高い正極電位が得られるリチウムマンガン複合酸化物、リチウムニッケル複合酸化物、リチウムコバルト複合酸化物、リチウム燐酸鉄等が挙げられる。
【００２５】
また、負極活物質としては、リチウムイオンを吸蔵・放出できる金属酸化物、金属硫化物、金属窒化物、合金等を使用することができる。好ましい負極活物質としては、リチウムイオンの吸蔵放出電位が金属リチウムの電位に対して０．４Ｖよりも貴なる物質が挙げられる。これはアルミニウムまたはアルミニウム合金とリチウムとの合金反応を抑えられることから、負極集電体および負極関連構成部材にアルミニウムまたはアルミニウム合金を使用することができる。例えば、負極活物質としては、チタン酸化物、リチウムチタン酸化物、タングステン酸化物、アモルファススズ酸化物、スズ珪素酸化物、酸化珪素などがあり、中でもリチウムチタン複合酸化物が好ましい。
【００２６】
密閉型電池１Ａに用いられる封口部材は、封口蓋４Ａ、有頭リベット状の電極端子２０、リング状の絶縁封口部材５、絶縁プレート６およびワッシャー７により構成されている。封口蓋４Ａは、厚さ０．３ｍｍのアルミニウム板またはアルミニウム合金板をプレス成型したものであり、金属缶１０の矩形開口を取り囲む周縁に全周レーザ溶接され、金属缶１０の上面開口を塞いでいる。
【００２７】
封口蓋４Ａには２つの開口が形成されている。電解液注入口１２は、封口蓋４Ａのほぼ中央に開口し、金属缶１０内の電極群１１に電解液を注入した後において、封口栓１３により塞がれる。封口栓１３は封口蓋４Ａに全周レーザ溶接される。負極端子取出用開口４２Ａは、負極タブ９ｂの端部を負極端子（有頭リベット状の電極端子）２０に接続するための貫通孔である。この貫通孔４２Ａは、封口蓋４Ａの内方から外方に向けて漸次縮径している。貫通孔４２Ａの内径Ｄ１の内方周壁は、リング状絶縁封口部材５の第１の狭隘部１６Ａを規定している。貫通孔４２Ａの内径Ｄ２の外方周壁は、絶縁封口部材５の第２の狭隘部１７Ａを規定している。図１に示すように、これらの内径Ｄ１とＤ２とはＤ１＞Ｄ２の関係にある。
【００２８】
有頭リベット状の電極端子２０は、頭部２２、軸部２３、かしめ端部２８を有している。頭部２２の外径は封口蓋４Ａの貫通孔４２Ａの内径よりも大きい。軸部２３の外径は、貫通孔４２Ａの内径よりも十分に小さく、かつ絶縁封口部材５のリング開口径より僅かに小さい。軸部２３の一部（かしめ端部２８の側）は、かしめ加工時に膨出しており、内径Ｄ１の貫通孔４２Ａの内方周壁との間に第１の狭隘部１６Ａを形成している。軸部２３の他の部分（頭部２２の側）は、内径Ｄ２の貫通孔４２Ａの外方周壁との間に第２の狭隘部１７Ａを形成している。なお、かしめ端部２８は、かしめ加工時に扁平につぶされ、これによりリベット状電極端子２０が封口蓋４Ａから抜け落ちないようになっている。
【００２９】
リング状絶縁封口部材５は、フランジ部１４と、フランジ部１４の下面に、有頭リベット状の電極端子の軸部２３が挿通されるパイプ状のボス部１５とを備えている。ここで、リング状絶縁封口部材５および絶縁プレート６の材質としては、ポリプロピレン、ポリフェニレンサルファイド、テトラフルオロエチレン-パーフルオロアルコキシエチレン共重合体（ＰＦＡ）、テトラフルオロエチレン-ヘキサフルオロプロピレン共重合体（ＦＥＰ）等の熱可塑性および絶縁性を有する合成樹脂などが好ましい。なお、封口蓋４Ａ、リベット状電極端子２０、ワッシャー７および封口栓１３は、アルミニウムまたはアルミニウム合金でつくられている。
【００３０】
封口部の組み付けは以下の手順で行う。
【００３１】
リング状絶縁封口部材５のパイプ状のボス部１５を封口蓋４Ａの貫通孔４２Ａに嵌挿し、さらに有頭リベット状の電極端子２０をパイプ状のボス部１５に挿嵌する。その後、図１に示すように、軸部２３に絶縁プレート６を介してワッシャー７を挿嵌する。この状態でかしめ加工機により有頭リベット状の電極端子２０を上下から圧縮し、電極端子のかしめ端部２８を押しつぶす。このかしめ加工時に、軸部２３を拡径し、封口蓋４Ａの貫通孔４２Ａの内壁と軸部２３との間で、リング状絶縁封口部材５を圧縮挟持することで封止する。このときの圧縮率は２０〜８０％の範囲内とすることが好ましい。圧縮率２０％未満では圧縮不足によりリング状絶縁封口部材５と封口蓋４Ａの貫通孔４２Ａの内壁またはリング状絶縁封口部材５と有頭リベット状の電極端子２０の軸部２３との密着性が低下して、良好な封口性が得られない。また、圧縮率が８０％を超えると、過大な圧縮によりリング状絶縁封口部材５のパイプ状のボス部１５に亀裂を生じて破断し、さらには、ヒートサイクルによる膨張収縮の変位・変形に追従することができず、所望の封口性が保たれなくなる。ここで「圧縮率」とは、かしめ前のパイプ状のボス部１５の肉厚をＴ１、かしめ後のボス部１５の肉厚をＴ２としたとき、圧縮率ＰＲ＝Ｔ２／Ｔ１で与えられる値である。
【００３２】
なお、本実施形態の説明では、有頭リベット状電極端子の頭部を電池外装ケースの外側とし、かしめ端部をケースの内側としているが、これとは逆に、有頭リベット状電極端子の頭部を電池外装ケースの内側とし、かしめ端部をケースの外側としてもよい。その場合は、板状封口蓋の内径Ｄ１を有頭リベット状電極端子のかしめ端部の側とし、内径Ｄ２を同端子の頭部の側とすることで、同様の効果が得られる。
【実施例】
【００３３】
以下、図１〜図４および表１を参照して本発明の実施例を比較例と対比しながら説明する。なお、本発明の主旨を超えない限り、本発明は以下に掲載される実施例に限定されるものではない。
【００３４】
（実施例１）
封口蓋４Ａの貫通孔４２Ａにおいて、高さＨを０．５ｍｍ、内方の内径Ｄ１を４ｍｍ、外方の内径Ｄ２を４．４ｍｍ、有頭リベット状の電極端子２０の軸部２３の外径を３ｍｍ、リング状絶縁部材５のパイプ状のボス部１５の肉厚を片側０．５ｍｍとし、有頭リベット状の電極端子２０の軸部２３をかしめて、図１に示す封口構造に組み立て、幅７０ｍｍ、高さ１００ｍｍ、厚さ１５ｍｍの非水電解質二次電池１Ａを作製した。実施例１ではパイプ状のボス部１５（第１の狭隘部１６Ａと第２の狭隘部１７Ａ）の圧縮率を５０％とした。
【００３５】
（実施例２）
実施例２では、貫通孔４２Ａの外方の内径Ｄ２を４．２ｍｍに変更したことを除いて、他の構成は実施例１と同様の図１に示す非水電解質二次電池１Ａを作製した。実施例２においてもパイプ状のボス部１５（第１の狭隘部１６Ａと第２の狭隘部１７Ａ）の圧縮率を５０％とした。
【００３６】
（実施例３）
実施例３では、かしめ寸法を変更し、パイプ状のボス部１５の圧縮率を３０％としたことを除いて、他の構成は実施例１と同様の図１に示す非水電解質二次電池１Ａを作製した。
【００３７】
（実施例４）
実施例４では、かしめ寸法を変更し、パイプ状のボス部１５の圧縮率を７０％としたことを除いて、他の構成は実施例１と同様の図１に示す非水電解質二次電池１Ａを作成した。
【００３８】
（比較例１）
比較例１では、貫通孔４２の内方の内径Ｄ１を４．０ｍｍ、外方の内径Ｄ２を４．０ｍｍとしたことを除いて、他の構成は実施例１と同じとする図４に示す非水電解質二次電池１００を作成した。
【００３９】
（比較例２）
比較例２では、貫通孔４２Ｂの内方の内径Ｄ１を４．０ｍｍ、外方の内径Ｄ２を３．６ｍｍとしたことを除いて、他の構成は実施例１と同じとする図３に示す非水電解質二次電池１Ｂを作成した。
【００４０】
上記の実施例１〜４および比較例１，２の非水電解質二次電池サンプルに対してヒートサイクル試験をそれぞれ行った。ヒートサイクル試験方法は、−３０℃の低温に２時間保持し、次いで＋８０℃の高温に２時間保持する。これを１サイクルとして、１００サイクル実施した後、各サンプルにおける電解液の漏液状況を調べた。試験セルはそれぞれ１００個である。表１に、その結果を示す。
【００４１】
表１より明らかなように、比較例１、２では、圧縮率にばらつきが生じており、最大圧縮部分では５０％となっているが、その他の部分は圧縮率が低く、温度サイクルによる膨張収縮による変位・変形に追従できずに、漏液が発生したものと考えられる。
【表１】
2009087729.tif 000003
【図面の簡単な説明】
【００４２】
【図１】本発明の実施例に係る密閉型電池を示す要部断面図。
【図２】（ａ）は密閉型電池の縦断面図、（ｂ）は密閉型電池の平面図。
【図３】比較例の電池を示す要部断面図。
【図４】従来の電池を示す要部断面図。
【符号の説明】
【００４３】
１Ａ，１Ｂ、１００…密閉型電池、
４…封口蓋、５…絶縁封口部材、６…絶縁プレート、７…ワッシャー、
９ａ…正極タブ、９ｂ…負極タブ、
１０…金属缶、１１…電極群、１２…電解液注入口、１３…封口栓、
１４…フランジ部、１５…ボス部、
１６，１６Ａ，１６Ｂ…第１の狭隘部、
１７，１７Ａ，１７Ｂ…第２の狭隘部、
２０…リベット状電極端子、
２２…頭部、２３…軸部、２８…かしめ端部、
４２，４２Ａ，４２Ｂ…貫通孔（負極端子取出用開口）。
【図１】
2009087729.tif 000004
【図２】
2009087729.tif 000005
【図３】
2009087729.tif 000006
【図４】
2009087729.tif 000007